(57)【要約】【課題】従来のリコーダーの運指表は、リコーダー図が正対しているか上下逆に提示されている。正対している図においては、見る側としては前から見た図で運指を把握し、それを後ろから見た図に変換して運指することが必要になる。また上下逆の図においては、リコーダーを口にくわえたまま水平より上に持ち上げ、目視確認を必要とする。これはリコーダー演奏に相応しくない姿勢を強要される。また両図とも指の腹で音孔の位置や輪郭を感知する運指を必要とする演奏にはふさわしくない。【解決手段】本発明のリコーダーの運指表示物は、楽器を持つ本人の側から見た（後ろ側から見た）リコーダー図を示す。そのために管体後部の音孔（左手親指用）以外の前面にある見ることができない音孔を透視する形で表記するか、管体後部の音孔（左手親指用）を残して管体後部半分を裁断した形で、前面にある音孔を表記する。【選択図】図２
2020129095.tif 000002
【特許請求の範囲】
【請求項１】
リコーダーの全体図であるリコーダー図と、五線譜の音符に対応する音孔の塞ぎ部が図示された運指図とからなる運指表示物において、
前記リコーダー図は、演奏姿勢におけるリコーダーを持つ本人の側であるリコーダーの後ろ側から見た状態で描かれていることを特徴とするリコーダーの運指表示物。
【請求項２】
前記リコーダー図は、管体の前面に配置された音孔が、演奏姿勢におけるリコーダーを持つ本人の側であるリコーダーの後ろ側から透視したように、点線で描かれている請求項１記載のリコーダーの運指表示物。
【請求項３】
前記リコーダー図は、管体の前面に配置された音孔の縦方向区間内において、管体の後面に配置された音孔部分を残して、前記管体の後面部分が縦に裁断されることにより、管体の前面に配置された音孔が、演奏姿勢におけるリコーダーを持つ本人の側であるリコーダーの後ろ側から見えるように描かれている請求項１記載のリコーダーの運指表示物。
【請求項４】
前記リコーダー図のリコーダーが立体的に描かれている請求項１&#12316;３いずれかに記載のリコーダーの運指表示物。
【請求項５】
前記リコーダーの運指表示物がディスプレイに表示されている請求項１&#12316;４いずれかに記載のリコーダーの運指表示物。
【発明の詳細な説明】
【技術分野】
【０００１】
本発明は、リコーダーの運指を直感的に把握することができるリコーダーの運指表示物に関する。
【背景技術】
【０００２】
従来のリコーダーの運指表は、図５に示すように，リコーダーの全体図であるリコーダー図と、五線譜の音符に対応する音孔の塞ぎ部が図示された運指図とから構成されている。前記リコーダー図は、下記特許文献１及び非特許文献１などに示されるように、リコーダーと正対した図が示されている。すなわち、リコーダーを正面から見た図が示されている。
【０００３】
また最近では、図５（下記非特許文献２）に示すように、正面から見たリコーダーが上下逆に提示されていることが多い。これは、リコーダーを口にくわえたまま水平より上に持ち上げたとき、演奏者自身から見える状態を示したものである。
【先行技術文献】
【特許文献】
【０００４】
【特許文献１】実開平０３−１２９９７７
【非特許文献】
【０００５】
【非特許文献１】ヤマハ株式会社  リコーダー運指表
【非特許文献２】教育芸術社  小学生の音楽３
【発明の概要】
【発明が解決しようとする課題】
【０００６】
しかしながら、前記リコーダー図がリコーダーと正対している図（図５）においては、見る側（リコーダーの演奏者）としては、リコーダーを正面から見た図で運指を把握し、それを頭の中で後ろから見た運指に変換して音孔を塞ぐ動作が必要になる。当然右手と左手が逆となる。
また上下逆の図（図６）においては、リコーダーを口にくわえたまま水平より上に持ち上げ、目視確認を必要とする。これは小学生にとっては運指を把握しやすいとは思われるが、リコーダー演奏に相応しくない不自然な姿勢を強要されることになってしまう。
また両者とも目視による運指の確認を重視しているが、本来は指の腹で音孔の位置や輪郭を感知しながら演奏すべきものなのでふさわしくない図である。
そこで本発明の主たる課題は、リコーダーの運指を直感的に把握することができる運指表示物を提供することにある。
【課題を解決するための手段】
【０００７】
本発明に係るリコーダーの運指表示物は、演奏姿勢におけるリコーダーを持つ本人の側であるリコーダーの後ろ側から見た状態で描かれたリコーダー図を備えている。管体の後面に配置された音孔（左手親指で押さえる音孔）以外は管体の前面にあるので、リコーダーの後ろ側からは見ることができない位置にあるが、この見えない音孔を透視する形で表記するか、管体後面の音孔を残して管体前面にある音孔があたかも管内部から見えるように管体後面部分を裁断して表記することを主要な特徴とする。
【発明の効果】
【０００８】
本発明に係るリコーダーの運指表示物は、演奏姿勢におけるリコーダーを持つ本人の側であるリコーダーの後ろ側から見た状態で描かれたリコーダー図を提示するため、リコーダー図に図示されたリコーダーと、演奏姿勢における演奏者自身のリコーダーとが一致しているため、頭の中で前後左右を変換する必要がなくリコーダーの運指を直感的に把握することができるようになる。またリコーダーを水平にして目視で運指を確認する必要もなく、音孔の輪郭を指腹で知覚し塞ぐという本来の演奏に集中できる。
【図面の簡単な説明】
【０００９】
【図１】は、リコーダーの管体を後面から透視して前面の音孔を円（点線）で描いた運指表示物１０を示す図。
【図２】は、リコーダーの管体後面の音孔（左手親指）の下から管体後部半分を裁断し、管体前面の音孔を内側から円で描いた運指表示物１０を示す図。
【図３】は、音孔を塞ぐ手指のイラスト等を描き加えて表示した運指表示物１０を示す図。
【図４】は、コンピュータ等のディスプレイ１３に表示した運指表示物を示す図。
【図５】は、従来の運指表に提示された正対した図。（ヤマハリコーダー附属運指表の一部）
【図６】は、従来の運指表に提示された上下逆の図。（ヤマハリコーダー附属運指表の一部）
【発明を実施するための形態】
【００１０】
本発明に係るリコーダーの運指表示物１０は、図１に示されるように、リコーダーの全体図であるリコーダー図１１と、五線譜の音符に対応する音孔の塞ぎ部が図示された運指図１２とから構成されている。前記運指図１２には、リコーダーの全体図が示されることもあるが、リコーダーのうち音孔が配置された縦方向区間を抜き出して図示されることの方が多い。このとき、演奏者は、前記リコーダー図１１によってリコーダーの全体を把握しつつ、運指図１２で音孔の塞ぎ部を把握している。
本発明に係るリコーダーの運指表示物１０は、前記リコーダー図１１を、演奏姿勢におけるリコーダーを持つ本人の側であるリコーダーの後ろ側から見た状態で描くことにより、五線譜等によって指定された高さの音を出すために塞ぐ音孔を直感的に認識しやすくしたものである。
前記リコーダー図１１がリコーダーの後ろ側から見た図であることは、頭部管の吹口が後ろ向きであること、頭部管のエッジ部分が描かれていないこと、足管部に配置される音孔（右手小指で押さえる音孔）がリコーダーの縦方向中心線より右寄りに描かれていることなどから容易に判別できる。また、リコーダー図１１がリコーダーの後ろ側から見た図であることを表記してもよい。
以下、前記リコーダー図１１の実施例について詳細に説明する。
【実施例１】
【００１１】
本実施例１では、図１に示されるように、前記リコーダー図１１において、管体１の前面に配置された音孔３、４が、演奏姿勢におけるリコーダーを持つ本人の側であるリコーダーの後ろ側から透視したように、点線で描かれている。この点線は、一般の製図で使用される対象物の見えない部分の形状を表すのに用いられるかくれ線である。一方、管体１の後面のリコーダーの後ろ側から見える位置に配置された音孔２（左手親指で押さえる音孔）は、実線で描かれている。
また、前記リコーダー図１１と同様に、運指図１２においても、管体１の前面に配置された音孔３、４が点線で描かれ、所定の音符に対応する音孔の塞ぎ部が図示されている。音孔の塞ぎ部は、指で押さえない音孔と異なる形態で図示されていれば足り、図１に示される例では音孔の塞ぎ部が黒く塗り潰されているが、他の色で塗り潰したり、ハッチングやクロスハッチングを施したりしてもよい。このように黒く塗り潰されるなどによって図示された塞ぎ部においては、この黒塗り部分の外縁に近接する外周部、又は黒塗り部分の外縁から若干の間隔をあけた外周部に、音孔３、４の外形線が点線で描かれているのが好ましい。これにより、運指図１２を見ただけでも、リコーダーの後ろ側から見た図であることが容易に認識できるようになる。
前記音孔２、３、４は、図示例では円で記載されているが、楕円、または管体の厚みを考慮した厚みのある立体的な孔の形状に表記してもよい。
【実施例２】
【００１２】
本実施例２では、図２に示されるように、管体１の前面に配置された音孔３、４の縦方向区間内において、管体１の後面に配置された音孔２部分を残して、前記管体１の後面部分が縦に裁断されることにより、管体１の前面に配置された音孔３、４が、演奏姿勢におけるリコーダーを持つ本人の側であるリコーダーの後ろ側から見えるように描かれている。すなわち、リコーダーの管体１の後面の音孔２の部分を残して、前面にある音孔３、４があたかも管体内部から見えるように管体１の後部半分を裁断した形で、前面の音孔３、４を円で表記したものである。管体１の切り口（切断面）にはハッチングなどを施すことにより、切断した状態であることが容易に認識できるようにするのが好ましい。管体１の前面に配置された音孔３、４は、 実線で描かれている。
前記音孔２、３、４は、図示例では円で記載されているが、楕円、または管体の厚みを考慮した厚みのある立体的な孔の形状に表記してもよい。
【実施例３】
【００１３】
本実施例３では、図３に示されるように、実施例１又は２の図に、音孔を塞ぐ手指のイラスト等を描き加えて表示し、より分かりやすくしたものである。塞ぎ部の図示は、音孔自体に付してもよいし、手指のイラストに付してもよい。
【実施例４】
【００１４】
本実施例４では、前記リコーダー図１１のリコーダーが立体的に描かれている。これにより、リコーダー図１１におけるリコーダーが後ろ側から見た状態であることがより明確に認識できるとともに、本運指表示物１０を見た感覚と、演奏姿勢における演奏者自身の感覚とがほぼ一致して、リコーダーの運指がより一層直感的に把握できるようになる。このような効果がより確実に発揮できるように、リコーダーを後ろ側の斜め上方から見た状態で立体的に描くのが好ましい。
【実施例５】
【００１５】
本実施例５では、図４に示されるように、リコーダーの運指表示物１０を、コンピュータ等のディスプレイ１３に表示している。本発明に係るリコーダーの運指表示物１０は、紙等に印刷された印刷物の他、図４に示されるように、ディスプレイ１３に表示された画像であってもよい。このときのリコーダー図としては、上記実施例１&#12316;４のいずれかを用いることができる。
また、前記リコーダー図１１及び運指図１２に示されたリコーダーを、コンピュータ等のディスプレイ１３に三次元化して立体的に表示するとともに、表示角度を任意に変えることができ演奏者個々に対応が可能であるようにしてもよい。リコーダーの表示角度を任意に変えられるようにすることによって、演奏者自身がより直感的に把握しやすい角度でリコーダーを表示することができるようになる。
さらに、ディスプレイ１３に表示することにより、運指を静止画だけではなく動画（速度調整可）でも分かりやすく表示することが可能となる。すなわち、運指図１２に示された塞ぎ部の位置が時間の経過とともに変化するように構成してもよい。
【符号の説明】
【００１６】
１  管体
２  後部音孔（左手親指用）
３  前部音孔（左手用）
４  前部音孔（右手用）
１０  リコーダーの運指表示物
１１  リコーダー図
１２  運指図
１３  ディスプレイ
【図１】
2020129095.tif 000003
【図２】
2020129095.tif 000004
【図３】
2020129095.tif 000005
【図４】
2020129095.tif 000006
【図５】
2020129095.tif 000007
【図６】
2020129095.tif 000008